(57)【要約】【課題】  どのようなデジタルカメラ付き携帯端末であっても、装着させることで、方位と位置とを付加した写真を取得させる又はリアルタイム通信を可能とさせることができる撮影位置・方向付き写真提供用ＩＣカードを得る。【解決手段】  ＩＣカード１５が方位センサ１５ｊと、ＧＰＳ部１５ｋと、選択部１５ｅと、編集機能部１５ｐ、無線通信部１５ｍ、フラッシュメモリ１５ｈ等を有することによって、ＧＰＳ機能を有する携帯電話機の場合は、無線通信部１５ｍとＧＰＳ部１５ｋを選ばないで方位センサ１５ｊを選択し、またデジタルカメラの場合は、無線通信部１５ｍとＧＰＳ部１５ｋと無線通信部１１と方位センサとを選択して、例えば災害現場の写真画像Ｂｉに位置Ｃｉと撮影方向θｉと年月日、時刻（時刻情報Ｄｉ）と合成してフラッシュメモリ１５ｈに保存する。また、これを中央センターに無線又はＩＣカードで中央センターに提供する。【選択図】      図２
2006314066.tif 000002
【特許請求の範囲】
【請求項１】
対象物を撮影可能に設けられたデジタルカメラ及び年月日、時刻からなる時刻情報を計測するタイマー並びに表示部を有する携帯端末に、装着される撮影位置・方向付き写真提供用ＩＣカードであって、
前記デジタルカメラの撮影画像が記憶される記憶手段と、
ＧＰＳ信号を受信して当該位置を計測し、該位置を出力するＧＰＳ位置計測部と、
前記デジタルカメラの撮影方向を計測して、その撮影方向を出力する撮影方向計測部と、
前記デジタルカメラのシャッタ信号に同期して、前記ＧＰＳ位置計測部の位置、前記タイマーの時刻情報及び前記撮影方向計測センサーの撮影方向を組み合わせ、これを撮影識別情報として取得する撮影識別情報取得手段と、
前記デジタルカメラからの写真画像の所定位置に前記撮影識別情報を重ねた画像を生成し、これを撮影識別情報付き写真画像として前記記憶手段に保存する手段と
を有することを特徴とする撮影位置・方向付き写真提供用ＩＣカード。
【請求項２】
当該ＩＣカードは、通信機能を有する通信カードを装着可能にガイドするアーム部を有して形成され、
前記通信カードの装着によって、前記記憶手段に記憶された写真識別情報付き写真画像を読み出し、これを前記通信カードに出力して無線インターネットプロトコルで送信させる出力手段と
を有することを特徴とする請求項１記載の撮影位置・方向付き写真提供用ＩＣカード。
【請求項３】
前記アーム部の一方は、ＧＰＳアンテナを収納する構造であり、該ＧＰＳアンテナは伸縮し、かつ先端部が周動可能であることを特徴とする請求項１又は２記載の撮影位置・方向付き写真提供用ＩＣカード。
【請求項４】
前記当該ＩＣカードは、前記デジタルカメラの撮影方向の仰角、俯角を求める仰角・俯角算出部を有することを特徴とする請求項１，２又は３記載の撮影位置・方向付き写真提供用ＩＣカード。
【請求項５】
入力された指示を解読して、前記ＧＰＳ位置計測部又は無線通信手段のいずれか若しくは前記ＧＰＳ位置計測部と無線通信手段との両方を起動させる選択手段と
を有することを特徴とする請求項１、２、３又は４記載の撮影位置・方向付き写真提供用ＩＣカード。
【請求項６】
前記撮影方向計測部は、６方向、８方向又は１６方向を前記撮影方向として出力することを特徴とする請求項１、２、３、４又は５記載の撮影位置・方向付き写真提供用ＩＣカード。
【請求項７】
前記撮影方向は、前記デジタルカメラのレンズの光軸の方向が前記６方向、８方向又は１６方向に一致しているとき、それを撮影方向として出力することを特徴とする請求項６記載の撮影位置・方向付き写真提供用ＩＣカード。
【発明の詳細な説明】
【技術分野】
【０００１】
本発明は、携帯電話機、ＰＤＡ又はデジタルカメラ等の携帯端末装置に装着することで、災害、観光、工事現場等の写真に、位置と撮影方向と時刻情報とを付加して相手に提供できる撮影位置・方向付き写真提供用ＩＣカードに関する。
【背景技術】
【０００２】
各地域で様々な自然災害が発生し、多くの方々が犠牲になったのと同時に多くの教訓を残している。これらの災害の中には土砂災害や地すべりの被害も多数あり、現場での指揮指令などの円滑な遂行に資する、予め危険度の高い場所の周辺住民への継続的な情報周知、さらに被害状況の早期把握の重要性が一層高まっている。
【０００３】
このような状況を踏まえた上で砂防事業における業務の高度化・省力化を図るためにデジタルカメラの利用やＧＩＳの導入など様々な試みが行われている。
【０００４】
例えば、特開２０００−３０１７５号公報（以下特許文献１という）は、現場の状況を映像と音声によって防災センターに伝えるシステムとして開示されている。
【０００５】
このシステムは、ヘルメットに画像取得機能及び音声通信機能を搭載し、保守要員がこのヘルメットを装着して、現場の画像、状況を音声で防災センターに送信する。具体的にはヘルメットにカメラと無線機等を付けて、各区域毎に受信機を設け、この受信機が無線機からのカメラの画像を受信したときに区域を監視センターで特定する。
【０００６】
また、特開２００４−２８９６７０号公報（以下特許文献２という）は、画像が配信される閲覧者がカメラの撮影位置及び撮影方向が不明になることを解消するもので、カメラに方位センサを設け、センターはこのカメラからの識別情報に地図位置を対応させてカメラ位置と方位とを閲覧者に提供する。センター側では、このカメラ位置と方位とを地図上に展開して閲覧者に提供する。
【０００７】
また、近年は携帯電話機にＧＰＳ機能及びカメラ機能が備わっているものがある。このような携帯電話機を用いると、写真とＧＰＳ位置とが送信されるので、相手がどこで取得された写真かが分かる。
【０００８】
このように、画像をカメラで取得して位置をしらせるものだけでも多くのやり方が提案されている。
【特許文献１】特開２０００−３０１７５号公報
【特許文献２】特開２００４−２８９６７０号公報
【発明の開示】
【発明が解決しようとする課題】
【０００９】
しかしながら、ＧＰＳ機能付きの携帯電話機は、ＧＰＳ位置と写真とを送信できるがどの方向から取得したものかが分からない。また、ＧＰＳ位置は写真とは別に送信されるものであるから受け手側では、ＧＰＳ位置と写真とを組み合わせる等の機能を備えて、写真がどこで撮影されたものかをリンク付けする機能を備えなければならない。
【００１０】
また、デジタルカメラは、一般にはＧＰＳ機能、通信機能、方位取得機能は備えてはいない。このため、デジタルカメラにＧＰＳ機能、通信機能、方位取得機能を備える等の改造が必要であるから装置が高価（特許文献１、２を含む）になる。
【００１１】
一方、災害時には作業員が災害現場に向かってデジタルカメラ等で災害現場の写真を取得する。このため、できるだけコンパクトな装置が望ましい。また、災害時においては、敏速に行政担当者に災害発生時の画像を提供するのが好ましい。
【００１２】
しかしながら、画像が敏速に提供されたとしても、その画像がどこでどの方向から撮影されたものかが分からなければ、行政担当者は的確な判断ができない。
【００１３】
本発明は以上の課題を解決するためになされたもので、どのようなデジタルカメラ付き携帯端末であっても装着可能で、かつこのＩＣカードが方位と位置とを付加した写真を保存して、この撮影方向及び位置付きの写真を提供させることができる撮影位置・方向付き写真提供用ＩＣカードを得ることを目的とする。
【課題を解決するための手段】
【００１４】
本発明は、対象物を撮影可能に設けられたデジタルカメラ及び年月日、時刻からなる時刻情報を計測するタイマー並びに表示部を有する携帯端末に、装着される撮影位置・方向付き写真提供用ＩＣカードである。
【００１５】
前記デジタルカメラの撮影画像が記憶される記憶手段と、ＧＰＳ信号を受信して当該位置を計測し、該位置を出力するＧＰＳ位置計測部と、前記デジタルカメラの撮影方向を計測して、その撮影方向を出力する撮影方向計測部と、前記デジタルカメラのシャッタ信号に同期して、前記ＧＰＳ位置計測部の位置、前記タイマーの時刻情報及び前記撮影方向計測センサーの撮影方向を組み合わせ、これを撮影識別情報として取得する撮影識別情報取得手段と、前記デジタルカメラからの写真画像の所定位置に前記撮影識別情報を重ねた画像を生成し、これを撮影識別情報付き写真画像として前記記憶手段に保存する手段とを備えたことを要旨とする。
【発明の効果】
【００１６】
以上のように本発明の撮影位置・方向付き写真提供用ＩＣカードによれば、デジタルカメラ付き携帯端末機であれば、装着するだけで、例えば災害現場、建築現場、観光地等の写真に撮影位置と撮影方向と年月日、時刻或いは俯角・仰角とが付記された撮影識別情報付き写真画像を保存して提供する。
【００１７】
このため、閲覧者は後日、写真がどこの位置で何時、どのような方向から撮影したかを直ぐに分かる。
【００１８】
また、閲覧側では撮影識別情報付き写真画像には、撮影位置、方向が付記されているので、地図又はデジタル写真画像上にこれらの撮影方向、撮影位置をポリゴンで定義させることが可能となる。
【００１９】
このため、災害時において広範囲に渡って現場写真が存在していた場合は、１画面上において多数の写真を方向付きで提供させることが可能となる。
【発明を実施するための最良の形態】
【００２０】
＜実施の形態１＞
本実施の形態の撮影位置・方向付き写真提供用ＩＣカードは、災害時の画像を取得してセンターに提供するシステムに適用させた例として説明する。そして、撮影位置・方向付き写真提供用ＩＣカードを位置方位付き現場写真送信携帯端末１と称して説明する。
【００２１】
図１は現場写真提供システムの接続構成図である。図１に示すように、撮影担当者Ａｉは、位置方位付き現場写真送信携帯端末１によって、例えば災害現場の写真画像Ｂｉと位置Ｃｉと撮影方向θｉと年月日、時刻（以下時刻情報Ｄｉという）を中央センターに無線又は記憶媒体で中央センターに提供する。
【００２２】
前述の位置方位付き現場写真送信携帯端末１は、図１に示すように、方位センサ機能及びＧＰＳ機能並びに記憶機能を有する携帯用ＩＣカード２を装着可能なカメラ付き携帯電話機３と、方位センサ機能、ＧＰＳ機能及び通信機能並びに記憶機能を有するデジタルカメラ用ＩＣカード５を装着可能なデジタルカメラ６と、方位センサ機能、ＧＰＳ機能及び通信機能並びに記憶機能を有するＰＤＡ用ＩＣカード７を装着したＰＤＡ８或いは、デジタルカメラ９と端末１０とマイクロホン１３等を備えたヘルメット１４とを総称したものである。
【００２３】
また、携帯用ＩＣカード２と、デジタルカメラ用ＩＣカード５と、ＰＤＡ用ＩＣカード７とを総称して携帯端末の位置方位付き現場写真提供用ＩＣカード１５という。
【００２４】
図２は携帯端末の位置方位付き現場写真提供用ＩＣカード１５の内部構成図である。図２に示すように、この携帯端末の位置方位付き現場写真提供用ＩＣカード１５は、カメラ付き携帯電話機３、デジタルカメラ６又はＰＤＡ８の取り付け口（図示せず）に装着可能に形成されたアダプタ１６（ＰＤＡ用、携帯電話機用、端末１０用）に接続されて機能させることも可能である。
【００２５】
位置方位付き現場写真提供用ＩＣカード１５は、接続部１５ａと、入出ポート１５ｂと、ＣＰＵ１５ｃと、ＲＯＭ１５ｄと、無線通信部１５ｍ（プロトコルはＴＣ／ＩＰプロトコル）と、ＧＰＳ部１５ｋと、方位センサ部１５ｊと、ＲＡＭ１５ｉと、フラッシュメモリ１５ｈとがバスラインに接続されている。また、ＲＯＭ１５ｄには、無線通信部１５ｍ又はＧＰＳ部１５ｋ若しくは両方を選択して機能させる選択部（プログラム）１５ｅを備えている。さらに、ＲＯＭ１５ｄには、データをＲＡＭに一時記憶して写真画像Ｂｉに位置Ｃｉと撮影方向θｉと時刻情報Ｄｉと書き込むための編集機能（プログラム）１５ｐを備えている。
【００２６】
すなわち、選択部１５ｅは、ＧＰＳ付きで無線通信機能付きの携帯端末であれば、ＧＰＳ部１５ｋと、無線通信部１５ｍの起動を停止させて、方位センサ部１５ｊを選択する。また、ＧＰＳ機能、無線通信機能を備えていない携帯端末（例えばＰＤＡ）の場合は、無線通信部１５ｍと、ＧＰＳ部１５ｋと、方位センサ部１５ｊとを同時に選択させて機能させる。
【００２７】
さらに、編集機能部１５ｐは、図３に示す構成となっている。
【００２８】
図３は、本実施の形態の位置方位付き現場写真提供用ＩＣカード１５の編集機能部の概略構成図である。図３に示すように、カメラからの写真画像Ｂｉを記憶するフラッシュメモリ１５ｈと方位センサ１５ｊとＧＰＳ部１５ｋとを用いて動作する。
【００２９】
編集機能部１５ｐは、方位読込部３３と、位置読込部３４と、時刻情報読込部３５と、組合部３６と、合成部３７と、メモリ３８と、送信部３９等から構成される。
【００３０】
方位センサ３１は、例えば北東、北西、南東・・北、南・の８方向、或いは１６方向を出力するのが望ましい。
【００３１】
方位読込部３３は、シャッタが押されたときのシャッタ信号を入力し、このシャッタ信号に同期して方位センサ１５ｊからの撮影方向θｉ（４方向、８方向、１６方向、・・・）を読み込み、これを組合せ部３６に出力する。
【００３２】
位置読込部３４は、シャッタ信号に同期してＧＰＳ３２からの位置情報を読み込み、これを組合せ部３６に出力する。
【００３３】
時刻情報読込部３５は、シャッタ信号に同期してタイマーの年月日、時刻（時刻情報Ｄｉ）を読み込み、これを組合せ部３６に出力する。
【００３４】
組合せ部３６は、撮影方向θｉ、撮影位置Ｃｉ、時刻情報Ｄｉとを一時ＲＡＭ１５ｉに記憶して、これらを一組に組み合わせる（以下撮影識別情報Ｈｉという）。
【００３５】
合成部３７は、撮影識別情報ＨｉをＲＡＭ１５ｉから読み込み、写真画像Ｂｉがフラッシュメモリ１５ｈに保存されたとき、この撮影識別情報Ｈｉを写真画像上に重ねる。そして、この画像（以下撮影識別情報付き写真画像Ｆｉという）が生成される毎に、送信部３９が読み込んで無線通信部１５ｋ（選択部によって選択されているとき）に出力させて送信させる。
【００３６】
この送信部３９は、無線通信部１５ｋが選択されていない場合は、出力ポートに直接出力して、携帯端末の送信手段によって送信させる。
【００３７】
また、中央センターのサーバ２１は、図１に示すように、位置方位付き現場写真送信携帯端末１とは無線通信網２０で接続され。そして、サーバ２１には、スカイビューマップ（登録商標）表示可能なパソコン２３と地図画像を表示可能なパソコン２４と、画像情報を編集して調査報告書を作成可能なパソコン２５等が接続されている。
【００３８】
また、ヘルメット１４は、デジタルカメラ９とマイクロホン１３と液晶表示器付き操作端末１０等からなる。この操作端末１０は、ＧＰＳ機能、通信機能等を内蔵した位置方位付き現場写真提供用ＩＣカード１５を接続して機能する。
【００３９】
上記のように構成された位置方位付き現場写真提供用ＩＣカード１５を装着した位置方位付き現場写真送信携帯端末１を用いて作業員が災害現場を撮影した場合の流れを以下に説明する。
【００４０】
本実施の形態では、センターのサーバは、撮影識別情報付き写真画像Ｆｉを受信して記憶して、撮影位置Ｃｉを含む地図又はオルソフォト（以下総称して地図情報という）を読み込み、この地図情報に撮影位置Ｃｉを定義して、写真画像Ｂｉをリンク付けし、撮影方向θｉを解読し、撮影位置Ｃｉに撮影方向θｉを示すと共に、撮影画像があることを示すポリゴンを定義する。そして、この撮影位置・方向付き画像を地図上に重ねてパソコン９に表示する機能を有するとして説明する。本実施の形態では、デジタルカメラ６に位置方位付き現場写真提供用ＩＣカード１５を装着し、選択部１５ｅが方位センサ１５ｊ、ＧＰＳ部１５ｋ、無線通信部１５ｍを選択したものとして説明する。
【００４１】
そして、作業員が位置方位付き現場写真送信端末装置１を操作して、災害現場を撮影する。このときのシャッタ信号に同期して方位読込部３３、位置読込部３４及び時刻情報読込部３５が起動し、方位センサ１５ｊからの撮影方向θｉ、ＧＰＳ部１５ｋからの位置情報（ＸＹＺ）、現在の時刻情報Ｄｉとが組合せ部３６に出力される。
【００４２】
組合せ部３６は、撮影方向θｉ、位置情報（ＸＹＺ）、現在の時刻情報Ｄｉとを一組にした撮影識別情報Ｈｉを生成して、これを合成部３７に出力する。
【００４３】
合成部３７は、写真画像Ｂｉがフラッシュメモリ１５ｈに保存されたかどうかを判断し、保存されたときは、ＲＡＭ１５ｉから撮影識別情報Ｈｉを読み込んで、フラッシュメモリ１５ｈの撮影画像Ｂｉの所定位置（上）に撮影識別情報Ｈｉを重ねる。この撮影識別情報付き写真画像Ｆｉは、端末１０の表示部に表示される（図４参照）。
【００４４】
そして、撮影識別情報付き写真画像Ｆｉを作業員が確認して、現場写真送信送信端末１を操作して送信指示（中央センターのサーバのアドレス、撮影者コード、時刻情報Ｄｉ等）を入力する。送信部３９は、撮影者コード、時刻情報Ｄｉをキーとしてフラッシュメモリ１５ｈから現場識別情報付き写真画像Ｆｉを検索して、中央センターに送信する。
【００４５】
この現場識別情報付き写真画像Ｆｉを中央センターのサーバが受信することによって以下に説明する表示が可能となる。
【００４６】
中央センターのサーバ２１は、現場識別情報付き写真画像Ｆｉを受信して、これをハードディスクに保存する。この保存にあたっては位置情報に関連付けて保存する。
【００４７】
そして、サーバ４は、例えばパソコン２４からの地域（県、市、町、丁、・・・）が指定されると、この地域に含まれる位置情報を有する現場識別情報付き写真画像Ｆｉ（Ｆ１、Ｆ２、・・・）を全て抽出する。
【００４８】
次に、各現場識別情報付き写真画像Ｆｉの位置情報Ｃｉを読み、これらを地域の地図に定義する。また、を区域年月日の現場識別情報付き写真画像Ｆｉの撮影方向θｉを読み、この撮影方向θｉに対応した矢印（ポリゴン：撮影方向付きポリゴン）を生成して地図上の位置に定義する。
【００４９】
これによって、例えば図５に示すように、地図上に位置方位付き現場写真送信端末装置１によって撮影された写真が多数あることが分かる。また、この地図には、写真方向（矢印）が表示されているので、中央センターの閲覧者は、どこの位置からで、どこの方向からの写真が添付されているかが直ぐに分かる。従って、例えば閲覧書が方向と位置とを考慮しながら最も最初に欲しい写真を容易に得ることができる。また、地図に代えて閲覧者がデジタル写真画像を指定した場合は図６に示すように撮影方向付きポリゴンを写真上に定義して表示させる。
【００５０】
そして、閲覧者は、パソコン２４を操作して所望の撮影方向付きポリゴンを指定すると、図７に示すように、撮影方向付きポリゴンにリンク付けされている現場識別情報付き写真画像Ｆｉがサブ画面に表示される。
【００５１】
図７に示すように現場識別情報付き写真画像Ｆｉに、撮影方向、撮影位置、年月日時刻が表示されているので、閲覧者は、どの方向からの写真であるかを把握できる。また、この現場識別情報付き写真画像Ｆｉを印刷した場合は、撮影方向、撮影位置、年月日時刻（撮影者名を付けてもよい）があるので、バラバラになっても容易に管理保管ができる。
【００５２】
＜実施の形態２＞
図８は通信用カード３０を装着可能な撮影位置・方向付き写真提供用ＩＣカードの概略構成図図である。
【００５３】
図８に示すように、撮影位置・方向付き写真提供用ＩＣカード３１は、通信用カード３０を装着可能とするためにコの字形状をしており、上側のアーム部３２ａには、ＧＰＳアンテナ３３が内蔵されている。また、下側のアーム部３２ｂには極方向センサ３５が内蔵されている。そして、撮影位置・方向付き写真提供用ＩＣカード３１は、デジカメの装着口（図示せず）から装着される。これによって、撮影位置・方向付き写真提供用ＩＣカード３１は、デジカメのレンズの光軸に対して平面が垂直になる。
【００５４】
上側のアーム部３２ａは、空洞であり、ＧＰＳアンテナ３３が出し入れできる摺動構造である。そして、ＧＰＳアンテナ３３は、アンテナ支持本体３４とアンテナ３６とを連結部材３５で連結しており、３６０°の回転が可能である。すなわち、常にＧＰＳアンテナを天に向けておくことが可能である。
【００５５】
また、下側のアーム部３２には、極方向センサ３８を有している。この極方向センサ３８は、Ｎ極又はＳ極を検出する。
【００５６】
さらに、本体部３９には、携帯端末（例えばデジタルカメラ）からの写真画像、指示情報を入力するためのポート部４０と、撮影方向算出部４１と、ハードディスク部４２（以下ＨＤＤ４２という）と、通信用ＩＣカード３０とのデータを送受するためのポート部４３と、ＣＰＵ部４４と、ＲＯＭ４５と、位置計測部４６、タイマー（図示せず）等を有している。
【００５７】
ＨＤＤ４２は、デジタルカメラからの写真画像Ｂｉを記憶する。また、撮影方向θｉ、撮影位置Ｃｉ、時刻情報Ｄｉとからなる撮影識別情報Ｈｉを写真画像Ｂｉ上に書き込んだ撮影識別情報付き写真画像Ｆｉが記憶される。
【００５８】
撮影方向算出部４１は、極方向センサー３８が検出した極方向を基準に撮影位置・方向付き写真提供用ＩＣカード３１の平面方向を求める（図８の撮影方向）。すなわち、デジタルカメラのレンズ方向を求める（これを撮影方向θｐという）。
【００５９】
また、位置計測部４６は、ＧＰＳアンテナ３３が受信したＧＰＳ信号に従って、位置を求め、これを撮影位置Ｃｉとして出力する。
【００６０】
ＣＰＵ部４４は、デジタルカメラからのシャッタ信号を取り込む。そして、図９に示すように、このシャッタ信号の入力に伴って、撮影方向算出部４１、位置計測部４６、タイマーを起動させて読み込む。また、シャッタ信号の入力に伴って、写真画像ＢｉをＨＤＤ４２に記憶する。そして、撮影方向算出部４１で算出された撮影方向θｉｐ（例えば北東、北西、南東・・北、南・の８方向、或いは１６方向）、位置計測部４６で求められた撮影位置Ｃｉ及びタイマーの現在の時刻情報Ｄｉとを入力して、これらを組み合わせる（組合せ部３６が実施する）。
【００６１】
この組合せ部３６によって生成された撮影方向θｐ、撮影位置Ｃｉ、現在の時刻情報Ｄｉとからなる撮影識別情報Ｈｉは、合成部３７によって、写真画像Ｂｉの所定位置に書き込まれる。すなわち、写真画像Ｂｉの所定位置の枠情報（ｘｙ）を予め設け、この枠情報に撮影識別情報Ｈｉを書き込む。この枠情報に書き込まれた撮影識別情報Ｈｉと写真画像Ｂｉとを合成したものが撮影識別情報付き写真画像Ｆｉである。
【００６２】
すなわち、ＨＤＤ４２には、撮影方向θｐと、撮影位置Ｃｉと、時刻情報Ｄｉと、デジタルカメラによって撮影された目的場所の写真画像Ｂｉとを合成した撮影識別情報付き写真画像Ｆｉが保存されることになる。
【００６３】
従って、この撮影位置・方向付き写真提供用ＩＣカード３１を持って中央センターのパソコンに表示させると、直ちに何時、何処でどの方向から撮影したかが分かる。
【００６４】
また、合成部３７は、通信用ＩＣカード３０が装着され、送信指示が入力すると、ＨＤＤ４２に保存されている写真画像Ｂｉと撮影識別情報Ｈｉとを読み、図１０に示すように、ヘッダに撮影方向θｐと、撮影位置Ｃｉと、時刻情報Ｄｉとを付加した写真画像Ｂｉを通信用ＩＣカード３０に出力して、無線インターネットプロトコルで送信させる。従って、撮影方向と撮影位置とが分かる写真画像を、リアルタイムで相手側に送信できる。
【００６５】
＜実施の形態３＞
図１１は実施の形態３の撮影位置・方向付き写真提供用ＩＣカード５０の概略構成図である。
【００６６】
図１１の撮影位置・方向付き写真提供用ＩＣカード５０は、ポート部４０と、撮影方向算出部４１と、ハードディスク部４２（以下ＨＤＤ４２という）と、通信用ＩＣカード３０とのデータを送受するためのポート部４３と、ＣＰＵ部４４と、ＲＯＭ４５と、位置計測部４６、タイマー（図示せず）等の他に、仰角・俯角算出部５１を有している。また、実施の形態１，２と同様な機能を有すると共に、本実施の形態では仰角と俯角とを求めさせて、この仰角と俯角とを写真画像に重ねさせる処理を行うＣＰＵ部５２とを備えている。
【００６７】
仰角・俯角算出部５１は、シャッタ信号に同期して、俯角θｋと仰角θｒとを求める。この俯角θｋと仰角θｒとの算出にあたっては、ＧＰＳアンテナ３３のアンテナ３６は常に天側に向けられてＧＰＳ位置が求められるので、このアンテナ３６の向きを基準にして仰角と俯角とを求めてもよい。又は、予め垂直方向を設定し、この垂直方向を基準にした仰角と俯角とを求める。
【００６８】
そして、ＣＰＵ部５２は、デジタルカメラからのシャッタ信号を取り込む。そして、このシャッタ信号の入力に伴って、撮影方向算出部４１、位置計測部４６、タイマー、仰角・俯角算出部５１を起動させる。また、シャッタ信号の入力に伴って、写真画像ＢｉをＨＤＤ４２に記憶する。そして、撮影方向算出部４１で算出された撮影方向θｉｐ（例えば北東、北西、南東・・北、南・の８方向、或いは１６方向）、位置計測部４６で求められた撮影位置Ｃｉ及びタイマーの現在の時刻情報Ｄｉと、仰角・俯角算出部５１で求められた仰角θｒ、俯角θｐとを入力して、これらを組み合わせる（組合せ部３６が実施する）。
【００６９】
つまり、撮影識別情報Ｈｉは、撮影方向θｐと、撮影位置Ｃｉと、現在の時刻情報Ｄｉと、仰角θｒと、俯角θｐとからなる。
【００７０】
この撮影識別情報Ｈｉが合成部３７によって、写真画像Ｂｉの所定位置に書き込まれる。従って、ＨＤＤ４２には、図１２に示すように、撮影方向θｐと、撮影位置Ｃｉと、時刻情報Ｄｉと、デジタルカメラによって撮影された目的場所の写真画像Ｂｉと、仰角θｒと俯角θｐとからなる撮影識別情報付が合成された撮影識別情報付き写真画像Ｆｉａが保存されることになる。
【００７１】
＜実施の形態４＞
図１３は実施の形態４の撮影位置・方向付き写真提供用ＩＣカード５０の概略構成図である。
【００７２】
図１３の撮影位置・方向付き写真提供用ＩＣカード５５は、ポート部４０と、ハードディスク部４２と、ポート部４３と、ＣＰＵ部５７と、ＲＯＭ４５と、位置計測部４６、タイマー（図示せず）等の他に、音声認識部５６とメモリ５８とを備えている。また、本実施の形態では上側アーム３２ａに対向する下側アーム３２ｂの先端部にマイクロホンジャック５７を備え、このマイクロホンジャックに隣接させて極方向センサ３８を有している。
【００７３】
また、通信用ＩＣカード３０をＩＣカード５５にそう着させてもアーム３２ａ、３２ｂは取出部３０ａにあたらない。
【００７４】
音声認識部５６は、マイクロホンジャック５７からの音声信号をデジタル変換してパターン化する。そして、メモリ５８に記憶されている、方位音パターン、仰角音パターン、俯角音パターンの比較で、方位、仰角、俯角を認識する。
【００７５】
ＣＰＵ部５７は、デジタルカメラからのシャッタ信号の入力に伴って、マイクロホンジャックからの音声信号を音声認識部５６でパターン化させる。また、位置計測部４６からの撮影位置Ｃｉを読み込む。
【００７６】
そして、音声認識部５６から認識された撮影方位、仰角、俯角と、撮影位置と時刻情報とを組み合わせた撮影識別情報Ｈｉを生成し、この撮影識別情報Ｈｉを合成部３７によって、写真画像Ｂｉの所定位置に書き込ませる。従って、ＨＤＤ４２には、図１２に示すように、撮影方向θｐと、撮影位置Ｃｉと、時刻情報Ｄｉと、デジタルカメラによって撮影された目的場所の写真画像Ｂｉと、仰角θｒと俯角θｐとからなる撮影識別情報付が合成された撮影識別情報付き写真画像Ｆｉａが保存されることになる。
【００７７】
すなわち、撮影位置・方向付き写真提供用ＩＣカード５０は音声認識部を有しているので、ヘルメット１４のデジタルカメラ９に装着すると、マイクロホン１３からの音声を認識して、撮影識別情報付き写真画像Ｆｉａを得ることが可能となる。
【００７８】
なお、上記実施の形態では、ＧＰＳアンテナを上側アームに設けて、これを取り出してアンテナを天側に向けるようにしたが、図１４に示すようアンテナを取出し構造としないで、上側アームの内部にＩＣ素子としたＧＰＳ機能付き位置計測部６０を有してもよい。
【図面の簡単な説明】
【００７９】
【図１】現場写真提供システムの接続構成図である。
【図２】携帯端末の位置方位付き現場写真提供用ＩＣカード１５の内部構成図である。
【図３】本実施の形態の位置方位付き現場写真提供用ＩＣカード１５の編集機能部の概略構成図である。
【図４】本実施の撮影識別情報付き写真画像Ｆｉを説明する説明図である。
【図５】実施の形態の撮影識別情報付き写真画像の撮影識別情報を用いた地図の表示を説明する説明図である。
【図６】本実施の形態の撮影識別情報付き写真画像の撮影識別情報を用いた航空写真画像の表示を説明する説明図である。
【図７】本実施の形態の撮影識別情報付き写真画像のサブ画面表示を説明する説明図である。
【図８】実施の形態２の撮影位置・方向付き写真提供用ＩＣカード３１の概略構成図である。
【図９】シャッタ信号に同期した取り込みを説明するタイミングチャートである。
【図１０】写真画像の送信フォーマットを説明する説明図である。
【図１１】実施の形態３の撮影位置・方向付き写真提供用ＩＣカードの概略構成図である。
【図１２】実施の形態３の撮影位置・方向付き写真提供用ＩＣカードによる写真画像を説明する説明図である。
【図１３】実施の形態４の撮影位置・方向付き写真提供用ＩＣカードの概略構成図である。
【図１４】ＧＰＳアンテナを設けない場合の撮影位置・方向付き写真提供用ＩＣカードの概略構成図である。
【符号の説明】
【００８０】
３  カメラ付き携帯電話機
６  デジタルカメラ
８  ＰＤＡ
１５  位置方位付き現場写真提供用ＩＣカード
１５ａ  接続部
１５ｂ  入出ポート
１５ｍ  無線通信部
１５ｋ  ＧＰＳ部
１５ｊ  方位センサ部１５
１５ｅ  選択部
１５ｐ  編集機能部
３３  方位読込部
３４  位置読込部
３５  時刻情報読込部
３６  組合部
３７  合成部
【図１】
2006314066.tif 000003
【図２】
2006314066.tif 000004
【図３】
2006314066.tif 000005
【図４】
2006314066.tif 000006
【図５】
2006314066.tif 000007
【図６】
2006314066.tif 000008
【図７】
2006314066.tif 000009
【図８】
2006314066.tif 000010
【図９】
2006314066.tif 000011
【図１０】
2006314066.tif 000012
【図１１】
2006314066.tif 000013
【図１２】
2006314066.tif 000014
【図１３】
2006314066.tif 000015
【図１４】
2006314066.tif 000016